(57)【要約】 【課題】  小型化が容易に図れるディスク装置を提供する。【解決手段】  記録面１０Ａａ，１０Ｂａが対向する状態に回転可能に支持する光ディスク１０Ａ，１０Ｂ間に、記録面１０Ａａ，１０Ｂａに沿って移動可能に光ピックアップ２００を配設する。半導体レーザ２０１から出射する２波長のレーザ光を偏光ビームスプリッタにて反対方向にそれぞれ反射させる。それぞれ反射したレーザ光を対物レンズを介してそれぞれ記録面１０Ａａ，１０Ｂａで集光させ、同一光軸で戻るレーザ光を受光し、処理する。移動する部材を用いず、小型化できる。【選択図】  図１
2005276312.tif 000002
【特許請求の範囲】
【請求項１】
光源と、
この光源から出射される光を偏光する偏光部材と、
この偏光部材にて偏光された前記光の偏光方向を選択的に切り替える偏光方向変換部材と、
前記光を前記偏光方向変換部材にて切り替えられた偏光方向に応じて光軸方向を変更させる光学部材と、
前記変更された光軸上に配設され異なる光学式記録媒体の記録面へ前記光をそれぞれ集光する複数の集光部材と、
を具備したことを特徴とする光ピックアップ。
【請求項２】
請求項１に記載の光ピックアップであって、
前記偏光方向変換部材は、液晶パネルである
ことを特徴とする光ピックアップ。
【請求項３】
異なる波長の光を出射する光源と、
前記光を波長毎に異なる光軸方向に変更する光学部材と、
前記変更された光軸上に配設され異なる光学式記録媒体の記録面へ前記光をそれぞれ集光する複数の集光部材と、
を具備したことを特徴とする光ピックアップ。
【請求項４】
光源と、
この光源から出射される光を異なる方向に分岐する光学部材と、
前記分岐された光軸上に配設され異なる光学式記録媒体の記録面へ前記光をそれぞれ集光する複数の集光部材と、
前記光学式記録媒体から反射された前記光をそれぞれ受光する複数の受光手段と、
を具備したことを特徴とする光ピックアップ。
【請求項５】
請求項４に記載の光ピックアップであって、
前記光学部材は、前記光の所定の偏光方向で分岐する方向が異なる状態に構成された
ことを特徴とする光ピックアップ。
【請求項６】
請求項１ないし請求項５のいずれかに記載の光ピックアップであって、
前記光学部材は、ビームスプリッタである
ことを特徴とする光ピックアップ。
【請求項７】
請求項１ないし請求項６のいずれかに記載の光ピックアップであって、
前記複数の集光部材にて集光した光における前記異なる光学式記録媒体から反射される光をそれぞれ受光する複数の受光手段を備えた
ことを特徴とする光ピックアップ。
【請求項８】
請求項４、請求項５および請求項７のうちのいずれかに記載の光ピックアップであって、
前記集光手段および前記受光手段は、対をなして前記異なる光学式記録媒体の記録面に沿って移動可能に一体的に構成された
ことを特徴とする光ピックアップ。
【請求項９】
請求項１ないし請求項８のいずれかに記載の光ピックアップと、
この光ピックアップおよび複数の光学式記録媒体のうちの少なくともいずれか一方を前記光ピックアップが前記光学式記録媒体の記録面に沿う状態に相対的に移動させる移動手段と、
を具備したことを特徴とする情報処理装置。
【請求項１０】
請求項１ないし請求項８のいずれかに記載の光ピックアップと、
少なくとも一面に記録面を有したディスク状記録媒体を複数積層状態で回転可能に支持する回転支持手段と、
前記記録面に沿って径方向で前記光ピックアップを移動させる移動手段と、
を具備したことを特徴とする情報処理装置。
【請求項１１】
少なくとも一面に記録面を有したディスク状記録媒体を前記記録面が対向する状態で回転可能に支持する回転支持手段と、
前記ディスク状記録媒体間に位置して前記記録面に沿って移動可能に配設された請求項１ないし請求項８のいずれかに記載の光ピックアップと、
を具備したことを特徴とする情報処理装置。
【請求項１２】
少なくとも一面に記録面を有したディスク状記録媒体を前記記録面が同方向に向けて面する状態で回転可能に支持する回転支持手段と、
前記複数のディスク状記録媒体の記録面に沿ってそれぞれ移動可能に前記集光部材が移動可能に構成された請求項１ないし請求項８に記載の光ピックアップと、
を具備したことを特徴とする情報処理装置。 
【発明の詳細な説明】
【技術分野】
【０００１】
本発明は、光学式記録媒体に記録された情報を読み込む、あるいは光学式記録媒体に情報を記録する光ピックアップ、および、情報処理装置に関する。
【背景技術】
【０００２】
ＣＤ（Compact Disc）やＤＶＤ（Digital Versatile Disc）などの光学式記録媒体に記録された情報の読取や情報の記録などの情報処理を実施する光ピックアップを備えた情報処理装置が知られている。また、複数の光学式記録媒体を格納して、１つのピックアップでこれらの光学式記録媒体を駆動する情報処理装置が知られている（例えば、特許文献１参照）。
【０００３】
特許文献１には、複数の記録媒体に対してレーザ光を照射させることによって、各々の記録媒体の記録面に対する情報の記録および再生を行うことが可能な光ピックアップが示されている。この光ピックアップは、光源からのレーザ光を選択的に複数の記録媒体のいずれか一方に向けて反射するガルバノミラーを備えている。そして、ガルバノミラーを所定の角度だけ回転させることによって光源から出射されたレーザ光を他方の記録媒体の記録面に向けて反射させる構成が採られている。
【特許文献１】特開平１１−２７３１０９号公報（第３頁左欄、図１）
【発明の開示】
【発明が解決しようとする課題】
【０００４】
ところで、上記特許文献１に記載のような従来の光ピックアップでは、ガルバノミラーを回転させて光路を設定しているため、ガルバノミラーの回転軌道に応じたスペースが必要となる。したがって、このような従来の構成では、光ピックアップの小型化が困難である問題が一例として挙げられる。
【０００５】
本発明の目的は、このような実情などに鑑み、小型化が容易に図れる光ピックアップ、および、情報処理装置を提供することである。
【課題を解決するための手段】
【０００６】
請求項１に記載の発明は、光源と、この光源から出射される光を偏光する偏光部材と、この偏光部材にて偏光された前記光の偏光方向を選択的に切り替える偏光方向変換部材と、前記光を前記偏光方向変換部材にて切り替えられた偏光方向に応じて光軸方向を変更させる光学部材と、前記変更された光軸上に配設され異なる光学式記録媒体の記録面へ前記光をそれぞれ集光する複数の集光部材と、を具備したことを特徴とする光ピックアップである。
【０００７】
請求項３に記載の発明は、異なる波長の光を出射する光源と、前記光を波長毎に異なる光軸方向に変更する光学部材と、前記変更された光軸上に配設され異なる光学式記録媒体の記録面へ前記光をそれぞれ集光する複数の集光部材と、を具備したことを特徴とする光ピックアップである。
【０００８】
請求項４に記載の発明は、光源と、この光源から出射される光を異なる方向に分岐する光学部材と、前記分岐された光軸上に配設され異なる光学式記録媒体の記録面へ前記光をそれぞれ集光する複数の集光部材と、前記光学式記録媒体から反射された前記光をそれぞれ受光する複数の受光手段と、を具備したことを特徴とする光ピックアップである。
【０００９】
請求項９に記載の発明は、請求項１ないし請求項８のいずれかに記載の光ピックアップと、この光ピックアップおよび複数の光学式記録媒体のうちの少なくともいずれか一方を前記光ピックアップが前記光学式記録媒体の記録面に沿う状態に相対的に移動させる移動手段と、を具備したことを特徴とする情報処理装置である。
【００１０】
請求項１０に記載の発明は、請求項１ないし請求項８のいずれかに記載の光ピックアップと、少なくとも一面に記録面を有したディスク状記録媒体を複数積層状態で回転可能に支持する回転支持手段と、前記記録面に沿って径方向で前記光ピックアップを移動させる移動手段と、を具備したことを特徴とする情報処理装置である。
【００１１】
請求項１１に記載の発明は、少なくとも一面に記録面を有したディスク状記録媒体を前記記録面が対向する状態で回転可能に支持する回転支持手段と、前記ディスク状記録媒体間に位置して前記記録面に沿って移動可能に配設された請求項１ないし請求項８のいずれかに記載の光ピックアップと、を具備したことを特徴とする情報処理装置である。
【００１２】
請求項１２に記載の発明は、少なくとも一面に記録面を有したディスク状記録媒体を前記記録面が同方向に向けて面する状態で回転可能に支持する回転支持手段と、前記複数のディスク状記録媒体の記録面に沿ってそれぞれ移動可能に前記集光部材が移動可能に構成された請求項１ないし請求項８に記載の光ピックアップと、を具備したことを特徴とする情報処理装置である。
【発明を実施するための最良の形態】
【００１３】
〔第１の実施の形態〕
（ディスク装置の構成）
図１は、本発明の一実施の形態に係るディスク装置を模式的に示す断面図である。図２は、光ピックアップから出射された光の光路を模式的に示す平面図である。図３は、光ピックアップから出射された光の光路を模式的に示す別の平面図である。
【００１４】
図１において、１００はディスク装置で、このディスク装置１００は、例えば画像データや音楽データなどの情報を再生処理する再生装置などに装着される装置構成である。このディスク装置１００は、着脱可能に装着される光学式記録媒体であるディスク状記録媒体としての円板状の光ディスク１０Ａ，１０Ｂにおける少なくとも一面に設けられた記録面１０Ａａ，１０Ｂａに記録された情報を読み出す情報処理である読取処理、および、記録面１０Ａａ，１０Ｂａへ各種情報を記録する情報処理である記録処理をする。そして、ディスク装置１００は、例えば金属製で内部空間を有し一側面が例えば蓋体にて開閉可能な開口を有する略四角箱状のケース体１１０を有している。また、ケース体１１０内には、図示しないトレイ部と、このトレイ部をケース体１１０の開口を介して進退させる図示しない搬送手段と、ディスク装置１００全体の動作を制御する制御回路部１２０と、が配設されている。なお、ディスク装置１００としては、トレイ部に光ディスク１０Ａ，１０Ｂを載置するトレイタイプのディスク装置１００について説明するが、これに限らず、例えばスリット状の開口部を有し、光ディスク１０Ａ，１０Ｂを直接ディスク装置１００内に挿入する、いわゆるスロットインタイプなどの構成でもよい。
【００１５】
トレイ部は、例えば合成樹脂などにて形成された略板状の図示しないトレイと、このトレイの一縁に設けられ搬送手段にてケース体１１０内に後退された状態でケース体１１０の開口を閉塞する合成樹脂などにて細長板状に形成された図示しない化粧板と、を備えている。そして、トレイには、略中央部に装着開口が開口形成されている。そして、トレイ部には、トレイの装着開口に一部が臨む状態に図示しないディスク処理部が配設されている。トレイ部は、ディスク装置１００内に２つ設けられている。そして、これらのトレイ部は、載置された光ディスク１０Ａ，１０Ｂの記録面が互いに対向配置されるように設けられている。なお、トレイ部は、光ディスク１０Ａ，１０Ｂに対応して２つ設けられているとしたが、これに限らない。例えばトレイ部は、１つ設けられ、このトレイ部の両面で光ディスク１０Ａ，１０Ｂをチャッキングする構成としてもよい。
【００１６】
搬送手段は、トレイ部を進退移動させる。例えばイジェクトボタンの操作などにより、トレイの排出信号が制御回路部１２０より出力されると、搬送手段５００は、トレイ部を排出すなわち開口部を介して進出させる。そして、トレイ部が進出された状態から、このトレイ部をディスク装置１００内に所定の距離だけ進入させると、搬送手段は、自動的にトレイ部を内部に格納するようにトレイ部を引き込む。また、トレイ部が格納されると、トレイ部の進退運動を規制するために、図示しない係合爪にトレイ部を係止させる。
【００１７】
ディスク処理部は、枠状に形成された図示しない台座部を備えている。台座部には、図示しない光ディスク回転駆動手段が配設されている。この光ディスク回転駆動手段は、スピンドルモータである図示しない回転用電動モータと、この回転用電動モータの出力軸に一体的に設けられた図示しない回転支持手段としてのターンテーブルと、を備えている。そして、ターンディスクは、光ディスク１０Ａ，１０Ｂの記録面１０Ａａ，１０Ｂａが互いに対向する状態で回転可能に保持する。
【００１８】
また、台座部には、図示しない移動手段としての処理移動手段が配設されている。この処理移動手段は、例えば軸方向が略平行に台座部に配設された一対の図示しないガイドシャフトと、例えばステッピングモータである移動用電動モータと、を備えている。移動用電動モータの図示しない出力軸には、外周面に螺旋状の係合溝が設けられたリードスクリュが同軸上に一体に連結されている。
【００１９】
さらに、台座部には、処理移動手段に支持された図示しない情報処理部が配設されている。この情報処理部は、一対のガイドシャフト間に架橋する状態で保持される図示しない移動保持部を備えている。この移動保持部には、ガイドシャフトを移動可能に嵌挿する図示しない保持部と、移動用電動モータの出力軸に連結されたリードスクリュの係合溝に係合する図示しない移動規制爪部と、を備えている。また、情報処理部の移動保持部には、制御回路部１２０に信号を送受信可能に接続され、制御回路部１２０の制御により、光ディスク１０Ａ，１０Ｂの記録面に記録された各種情報を読み取って出力回路部へ出力する読取処理や、制御回路部１２０からの各種情報を記録面に記録する記録処理を実施するための光ピックアップ２００が配設されている。このような光ピックアップ２００は、上述した処置移動手段により、光ディスク１０Ａ，１０Ｂの記録面１０Ａａ，１０Ｂａに沿って、光ディスク１０Ａ，１０Ｂの径方向に移動可能に取り付けられている。
【００２０】
制御回路部１２０は、例えば各種電気部品が搭載された回路基板に回路構成として構成されている。そして、制御回路部１２０には、光ピックアップ２００の動作を制御する駆動制御手段や、読取処理や記録処理などの情報処理を実施する情報処理手段、レーザ光の光量の調整処理を実施する光量制御手段などが構成されている。
【００２１】
（光ピックアップの構成）
次に、上述したディスク装置１００の光ピックアップ２００の構成を図１ないし図３に基づいて詳細に説明する。なお、光ピックアップ３００としては、光ディスク１０Ａ，１０ＢとしてＣＤ（Compact Disc）およびＤＶＤ（Digital Versatile Disc）の双方の情報処理が可能な構成を例示して説明するが、上述したように、いずれの記録媒体の情報処理に応じた構成が適用できる。また、光源として、ＣＤ用レーザ光およびＤＶＤ用レーザ光の２周波の出射光を出射可能な光源を用いた構成を例示するが、１つでさらに他の波長の出射光を出射可能な光源、例えばＣＤ用レーザ光のみを出射する光源のように単一の波長のみを出射する光源を１つのみ、あるいは複数用いて光学部材であるダイクロイックプリズムを用いて同一光軸に処理する構成など、いずれの構成としてもよい。
【００２２】
光ピックアップ２００は、図示しないホルダを備えている。このホルダには、図２ないし図３に示すように、光ディスク１０Ａ，１０Ｂに照射するレーザ光を出射する光源としての半導体レーザ２０１が配設されている。この半導体レーザ２０１は、例えばＣＤ用レーザ光およびＤＶＤ用レーザ光の２種類の異なった波長を出射する。なお、２波長のレーザ光は、同時に出射、あるいはいずれか一方の波長のレーザ光のみを出射可能に構成されている。
【００２３】
そして、半導体レーザ２０１近傍には、図示しない光路分岐部材としてのホログラムが配設されている。このホログラムは半導体レーザ２０１から出射されたレーザ光をそのまま透過させ、光ディスク１０Ａ，１０Ｂにて反射された同一光軸上を進行するレーザ光を、波長に従って所定の角度に光軸方向を変更させる。そして、この変更された光軸方向には図示しない受光手段としての受光部が配設されている。受光部は、ホログラムで光軸方向を変更された光を受光して、その光に含まれる情報に応じた信号を生成し、制御回路部１２０に出力する。
【００２４】
また、ホルダには、半導体レーザ２０１の出射側近傍に図示しないグレーティングが配設されている。さらに、ホルダには、グレーティングを透過したレーザ光が入射されるコリメータレンズ２０２が配設されている。
【００２５】
そして、ホルダには、光学部材としての偏光ビームスプリッタ（ＰＢＳ：Polarized Beam Splitter）２１０が配設されている。偏光ビームスプリッタ２１０は、半導体レーザ２０１から出射されたレーザ光を一側面２１１から入射させる。そして、レーザ光の波長の違いにより光路を分岐させる。例えば、光ディスク１０ＡをＣＤとし、光ディスク１０ＢとＤＶＤする場合、偏光ビームスプリッタ２１０は、ＣＤ用の波長のレーザ光を、図２に示すように、偏光ビームスプリッタ２１０の一側面２１２からレーザ光を出射させ、ＤＶＤ用の波長のレーザ光を、図３のように、一側面２１３からレーザ光を出射させる。
【００２６】
また、光ピックアップ２００には、図示しないレンズホルダに保持された集光部材としての対物レンズ２０５Ａ，２０５Ｂを備えている。一方の対物レンズ２０５Ａは、偏光ビームスプリッタ２１０の一側面２１２に対向する状態で、光軸に沿った方向および光軸に対して直交するトラッキング方向であるラジアル方向に移動可能に配設される。また、他方の対物レンズ２０５Ｂも、同様にして、偏光ビームスプリッタ２１０の一側面２１３に対向する状態で、光軸に沿った方向および光軸に対して直交するトラッキング方向であるラジアル方向に移動可能に配設される。そして、この対物レンズ２０５Ａ，２０５Ｂで各光ディスク１０Ａ，１０Ｂに集光されたレーザ光は、光ディスク１０Ａ，１０Ｂの記録面１０Ａａ，１０Ｂａに記録された情報に対応して反射される。
【００２７】
反射された光は、光路上を逆方向で進行し、上述したように、半導体レーザ２０１の近傍に配設されるホログラムに入射され、光の偏光方向に従って、所定の角度で受光部に向けて出射される。
【００２８】
（ディスク装置の動作）
次に、上記ディスク装置１００の動作について説明する。
【００２９】
光ピックアップ３００では、半導体レーザ２０１から出射されたレーザ光は、グレーティング、コリメータレンズ２０２を透過して略平行の光束に変換される。偏光ビームスプリッタ２１０は、半導体レーザ２０１から出射されたレーザ光の波長にしたがって、レーザ光を所定の面から出射させる。例えば上述したように、光ディスク１０ＡをＣＤとし、光ディスク１０ＢをＤＶＤとする。この場合、偏光ビームスプリッタ２１０は、ＣＤ用の波長のレーザ光を、光ディスク１０Ａと対向する面２１２からレーザ光を出射させる。一方、偏光ビームスプリッタ２１０は、ＤＶＤ用の波長のレーザ光を、光ディスク１０Ｂの記録面を対向する面２１３から出射させる。
【００３０】
そして、対物レンズ２０５Ａ、２０５Ｂは、各光ディスク１０Ａ、１０Ｂの記録面１０Ａａ，１０Ｂａにレーザ光を集光し、記録面に記録された情報に応じた反射角で反射される。反射されたレーザ光は、光路上を再び進行して、半導体レーザ２０１の近傍に設けられるホログラムに入射する。このホログラムは、各光ディスク１０Ａ，１０Ｂにて反射されたレーザ光を、所定の角度で分岐させる。そして、分岐させた先に配設される受光部は、この光を受光して、光ディスク１０Ａ，１０Ｂに記録されていた情報に応じた電気信号に変換される。
【００３１】
なお、半導体レーザ２０１から２つ波長のレーザ光を同時に出射させると、偏光ビームスプリッタ２１０は、これらのレーザ光をそれぞれ分岐して、光ディスク１０Ａ、１０Ｂに向かって同時に出射させることも可能である。この場合、所定時間毎に光ディスク１０Ａと光ディスク１０Ｂとの読み込み処理、あるいは書き込み処理を切り替えて行う。例えば、所定時間だけ光ディスク１０Ａの読み込み処理または書き込み処理を実施し、ここで読み込んだ情報をバッファ処理させる。そして、その間に光ディスク１０Ｂの読み込み処理、または書き込み処理を実施する。光ディスク１０Ａから読み込まれた情報のバッファ処理が終了すると、再び光ディスク１０Ａの読み込み、または書き込み処理を実施し、光ディスク１０Ｂから読み込まれた情報をバッファ処理させる。さらには、波長に対応して受光する素子を利用することで、波長毎にそれぞれ信号を処理し、同時に処理することもできる。例えば一方の光ディスク１０Ａで読み取った情報を他方の光ディスク１０Ｂへ記録するなどが例示できる。
【００３２】
（第１の実施の形態における作用効果）
上述したように、上記実施の形態では、光ピックアップ２００は、異なる波長のレーザ光を出射する半導体レーザ２０１と、このレーザ光の波長の違いに応じて出射させる光路方向を変更する偏光ビームスプリッタ２１０と、変更された光軸上にそれぞれ設けられる対物レンズ２０５Ａ，２０５Ｂと、を備えている。このため、半導体レーザ２０１からの出射させるレーザ光を選択することで、偏光ビームスプリッタ２１０のレーザ光を出射させる面を選択できる。従って、従来技術のようなガルバノミラーの複雑な回転機構が不要となり、半導体レーザ２０１から出射されるレーザ光の波長を変更するだけの簡単な構成で各光ディスク１０Ａ，１０Ｂに照射するレーザ光を切り替えることができる。従って、光ピックアップ２００を小型化させることができる。さらに、偏光ビームスプリッタ２１０により、レーザ光の光路を光学的に分岐または切り替えしているので、機械的に光路の切り替える従来技術に比べて、光路を途切れさせることなく連続的に、かつ安定して切り替えることができる。
【００３３】
また、偏光ビームスプリッタ２１０により、レーザ光を分岐させている。このため、偏光ビームスプリッタ２１０は、ホルダに対して所定の方向で固定されていればよく、従来のような回転機構などの複雑な他の構造を不要にできる。従って、構造を簡略化でき、製造コストを低減できる。
【００３４】
そして、このような光ピックアップ２００を備えたディスク装置１００は、光ピックアップ２００を光ディスク１０Ａ，１０Ｂの記録面１０Ａａ，１０Ｂａに沿って径方向に移動させる処理移動手段を備えている。このため、光ディスク１０Ａ，１０Ｂの双方の記録面１０Ａａ，１０Ｂａに沿って移動できる。従って、光ディスク１０Ａ，１０Ｂの双方の記録面１０Ａａ，１０Ｂａに記録された情報の読み込み、または記録面１０Ａａ，１０Ｂａへの情報の記録を効率よく実施できる。
【００３５】
また、このディスク装置１００のターンディスクは、光ディスク１０Ａ，１０Ｂの記録面１０Ａａ，１０Ｂａが対向する状態で回転可能に支持し、これらの光ディスク１０Ａ，１０Ｂの間に光ピックアップ２００が設けられている。このため、２枚の光ディスク１０Ａ，１０Ｂに対して、光ピックアップ２００の半導体レーザ２０１や偏光ビームスプリッタ２１０は１つでよい。したがって、部品点数を少なくでき、光ピックアップ２００の小型化を図れる。
【００３６】
また、光ピックアップ２００は、光ディスク１０Ａ，１０Ｂに挟まれる位置に配置されている。このため、光ピックアップ２００は、一対の光ディスク１０Ａ，１０Ｂの間のスペースを有効に活用できる。そのうえ、光ピックアップ２００を光ディスク１０Ａ，１０Ｂから近い位置に配置できるので、光ピックアップの構成を簡単にできる。
【００３７】
さらに、これらの光ディスク１０Ａ，１０Ｂは互いに記録面が対向するように載置されている。このため、光ピックアップ２００の両面に対物レンズを設けることで容易に両方の光ディスク１０Ａ，１０Ｂにレーザ光を照射させることができる。従って、より構造が簡単になり、さらに、光ピックアップの小型化にも対応できる。
【００３８】
そして、半導体レーザ２０１の近傍にホログラムを設け、光ディスク１０Ａ，１０Ｂにて反射されたレーザ光をこのホログラムで分岐させて受光部で受信している。このため、半導体レーザ２０１に光ディスク１０Ａ，１０Ｂで反射されたレーザ光が進入することなく、反射されたレーザ光のみを分岐されることができる。さらに、このようなホログラムを半導体レーザ２０１と一体にして形成すれば、受光部を新たに設ける必要がない。従って、スペースを有効に活用できて、光ピックアップの小型化を促進できる。
【００３９】
〔第２の実施の形態〕
次に、本発明の第２の実施の形態のディスク装置について図面を参照して説明する。図４は、第２の実施の形態のディスク装置を模式的に示す断面図である。図５は、光ピックアップの光路を模式的に示す平面図である。
【００４０】
第２の実施の形態では、第１の実施の形態と同様に、記録媒体として着脱可能なディスク状記録媒体である光ディスクに情報を記録および読み出すディスク装置を例示して説明するが、情報の読み出しあるいは記録のみでもよい。また、ディスク状記録媒体としては、光ディスクに限らず、光磁気ディスクなどのディスク状記録媒体をも対象とすることができる。さらに、例えば外周面に記録面を有した円筒状の記録媒体や一体的に配設された記録媒体など、いずれの記録媒体をも対象とすることができる。
【００４１】
（ディスク装置の構成）
第２の実施の形態におけるディスク装置１００は、第１の実施の形態と同様に２つのトレイ部を有している。そして、この第２の実施の形態のディスク装置１００では、図４に示すように、光ディスク１０Ａ，１０Ｂの記録面１０Ａａ，１０Ｂａが同方向を向く状態にトレイ部に載置される構成である。
【００４２】
（光ピックアップの構成）
次に、第２の実施の形態のディスク装置１００の光ピックアップ３００の構成を図５に基づいて詳細に説明する。
【００４３】
光ピックアップ３００は、図示しないホルダと、光ディスク１０Ａの記録面と対向する位置に設けられるピックアップ部３００Ａと、光ディスク１０Ｂの記録面と対向する位置に設けられるピックアップ部３００Ｂとを備えている。ピックアップ部３００Ａ，３００Ｂは、第１の実施の形態と同様の処理移動手段によりそれぞれ光ディスク１０Ａ，１０Ｂの記録面１０Ａａ，１０Ｂａの径方向に沿って移動可能に設けられている。ホルダには、半導体レーザ３０１が配設されている。この半導体レーザ３０１は、例えばピックアップ部３００Ａ、３００Ｂから離れた位置に配設されて、光ディスク１０Ａ，１０Ｂの軸方向に対してレーザ光を出射する。この半導体レーザ３０１の近傍には図示しないグレーティングが配設されている。また、ホルダには、グレーティングを透過したレーザ光が入射されるコリメータレンズ２０２が配設されている。
【００４４】
そして、ホルダには、半導体レーザ３０１から出射したレーザ光の一部をピックアップ部３００Ｂに向けて出射させる光学部材としての第１偏光ビームスプリッタ３１０が設けられている。第１ビームスプリッタ３１０は、コリメータレンズ２０２から出射されたレーザ光を、面３１１から入射させる。そして、この偏光ビームスプリッタ３１０は、所定の偏光方向のレーザ光を反射させて面３１３から出射させて、その他のレーザ光をそのまま透過させて面３１２から出射させる。
【００４５】
また、ホルダには、半導体レーザ３０１の出射方向の延長上に偏光ビームスプリッタ３１０を介してミラー３２０が配設されている。第１偏光ビームスプリッタ３１０の一側面３１２から出射されたレーザ光は、ミラー３２０に反射されて、ピックアップ部３００Ａに向けて出射される。
【００４６】
一方、ホルダには、第１偏光ビームスプリッタ３１０の面３１３の近傍に波長板３０３が配設されている。この波長板３０３は、偏光ビームスプリッタ３１０の面３１３から出射されたレーザ光が後述する光学部材しての第２偏光ビームスプリッタ３３０Ｂを透過できるようにレーザ光の偏光方向を変換する。波長板３０３で偏光方向を変換されたレーザ光は、ピックアップ部３００Ｂに向かって出射される。
【００４７】
ピックアップ部３００Ａには、光学部材としての第２偏光ビームスプリッタ３３０Ａと、１/４波長板３０４Ａと、対物レンズ３０５Ａと，シリンダレンズ３０６Ａと、受光素子３０７Ａと、が一体的に構成されている。第２偏光ビームスプリッタ３３０Ａは、ミラー３２０から出射されたレーザ光を面３３１Ａから入射させて、そのまま透過させて面３３２Ａから出射させる。そして、１／４波長板３０４Ａは、第２偏光ビームスプリッタ３３０Ａの面３３２Ａからの出射されたレーザ光の偏光方向を調整して、ミラー３４０に向かって出射させる。ミラー３４０Ａは、レーザ光を対物レンズ３０５Ａに向かって反射させる。
【００４８】
一方、第２偏光ビームスプリッタ３３０Ａの面３３２Ａから入射して光ディスク１０Ａにて反射されたレーザ光を出射する面３３３Ａに対向する位置に、シリンダレンズ３０６Ａを介して受光手段としての受光素子３０７Ａが配設されている。この受光素子３０７Ａは、光ディスク１０Ａから反射される出射光を受光する。すなわち、第２偏光ビームスプリッタ３３０Ａは、半導体レーザ３０１からのレーザ光を透過し、光ディスク１０Ａから反射されるレーザ光を反射して受光素子３０７Ａへ出射する。この受光素子３０７Ａは、受光した出射光に対応する信号を制御回路部１２０へ出力する。そして、制御回路部１２０は、受光したレーザ光に対応する信号に基づいて、適宜情報処理をする。具体的には、光ディスク１０Ａの記録面に記録された情報を認識し、適宜再生処理させる。
【００４９】
また、ピックアップ部３００Ｂには、ピックアップ部３００Ａと同様に、第２偏光ビームスプリッタ３３０Ｂと、１／４波長板３０４Ｂと、ミラー３４０Ｂと、対物レンズ３０５Ｂと、シリンダレンズ３０６Ｂと、受光素子３０７Ｂと、が一体に構成されている。第２偏光ビームスプリッタ３３０Ｂは、波長板３０３から出射されたレーザ光を面３３１Ｂから入射させて、そのまま透過させて面３３２Ｂから出射させる。そして、面３３２Ｂ近傍に配設される１／４波長板３０４Ｂは、レーザ光の偏光方向を調整して、レーザ光をミラー３４０Ｂに出射させる。そして、ミラー３４０Ｂは、レーザ光を対物レンズ３０５Ｂに反射させ、対物レンズ２０５Ｂは、光ディスク１０Ｂの記録面１０Ｂａにレーザ光を集光させる。
【００５０】
一方、第２偏光ビームスプリッタ３３０Ｂの面３３２Ｂから入射して光ディスク１０Ｂにて反射されたレーザ光を出射する面３３３Ｂに対向する位置に、シリンダレンズ３０６Ｂを介して受光手段としての受光素子３０７Ｂが配設されている。この受光素子３０７Ｂは、光ディスク１０Ｂから反射される出射光を受光する。すなわち、第３偏光ビームスプリッタ３３０Ｂは、半導体レーザ３０１からのレーザ光を透過し、光ディスク１０Ｂから反射されるレーザ光を反射して受光素子３０７Ｂへ出射する。この受光素子３０７Ｂは、受光した出射光に対応する信号を制御回路部１２０へ出力する。そして、制御回路部１２０は、受光したレーザ光に対応する信号に基づいて、適宜情報処理をする。具体的には、光ディスク１０Ｂの記録面に記録された情報を認識し、適宜再生処理させる。
【００５１】
（ディスク装置の動作）
次に、上記ディスク装置１００Ａの動作について説明する。
【００５２】
光ピックアップ３００では、半導体レーザ２０１から出射されたレーザ光は、グレーティング、コリメータレンズ２０２を透過して略平行の光束に変換される。そして、第１偏光ビームスプリッタ３１０にて、所定の偏光方向のレーザ光を反射させて面３１３から出射させ、その他のレーザ光をそのまま透過させて面３１２から出射させる。面３１２から出射されたレーザ光は、ミラー３２０にて反射し、ピックアップ部３００Ａに向けて出射される。
【００５３】
一方、第１偏光ビームスプリッタ３１０にて反射されて面３１３から出射されたレーザ光は、波長板３０３を透過する。そして波長板３０３にて、レーザ光は偏光方向を調整され、ピックアップ部３００Ｂに出射される。
【００５４】
ピックアップ部３００Ａ、３００Ｂでは、レーザ光を第２偏光ビームスプリッタ３３０Ａ，３３０Ｂをそのまま透過させる。そして、１／４波長板３０４Ａ，３０４Ｂを透過させてミラー３４０Ａ，３４０Ｂにて反射させ、対物レンズ３０５Ａ，３０５Ｂを介して光ディスク１０Ａ，１０Ｂの記録面１０Ａａ，１０Ｂａで集光させる。
【００５５】
また、光ディスク１０Ａ，１０Ｂで反射されたレーザ光は第２偏光ビームスプリッタ３３０Ａ，３３０Ｂで反射され、受光素子３０７Ａ，３０７Ｂで受光される。そして、受光素子３０７Ａ，３０７Ｂでは、受光したレーザ光の光量や反射角などに基づいて電気信号を生成し、制御回路部１２０に出力する。
【００５６】
（第２の実施の形態における作用効果）
第２の実施の形態におけるディスク装置１００Ａでは、半導体レーザ３０１と、半導体レーザ３０１から出射されるレーザ光を偏光方向によって分岐する第１偏光ビームスプリッタ３１０と、この第１偏光ビームスプリッタ３１０にて分岐されたレーザ光をそれぞれ光ディスク１０Ａ，１０Ｂに集光させる対物レンズ３０５Ａ，３０５Ｂと、光ディスク１０Ａ，１０Ｂにて反射したレーザ光をそれぞれ受光する受光素子３０７Ａ，３０７Ｂと、を備えている。このため、受光素子３０７Ａ，３０７Ｂは、光ディスク１０Ａ，１０Ｂにて反射されたレーザ光をそれぞれ個別に受光できる。そして、光ディスク１０Ａ，１０Ｂの情報を２つの受光素子３０７Ａ，３０７Ｂでそれぞれ受けることにより、複雑な構成や解析プログラムなどを不要にでき、構成の簡略化が図れる。
【００５７】
また、対物レンズ２０５Ａおよび受光素子３０７Ａは、ピックアップ部３００Ａに一体的に構成され、対物レンズ２０５Ｂおよび受光素子３０７Ｂは、ピックアップ部３００Ｂに一体的に構成されている。そして、これらのピックアップ部３００Ａ，３００Ｂは、それぞれ光ディスク１０Ａ，１０Ｂの記録面１０Ａａ，１０Ｂａに沿って移動可能に設けられている。このため、ピックアップ部３００Ａ，３００Ｂは、それぞれ光ディスク１０Ａ，１０Ｂの径方向に個別に移動できる。したがって、光ディスク１０Ａの記録面１０Ａａへの読み込み処理および書き込み処理と、光ディスク１０Ｂの記録面１０Ｂａへの読み込み処理および書き込み処理とを、それぞれ独立させて実施できる。
【００５８】
そして、ディスク装置１００Ａのターンディスクは、光ディスク１０Ａ，１０Ｂの記録面１０Ａａ，１０Ｂａが同方向に向かって面する状態で回転可能に支持している。このため、光ディスク１０Ａ，１０Ｂをディスク装置１００内に格納しやすく、使い勝手を向上できる。
【００５９】
〔実施の形態の変形例〕
なお、本発明は、上述した一実施の形態に限定されるものではなく、本発明の目的を達成できる範囲で以下に示される変形をも含むものである。
【００６０】
例えば、第１の実施の形態において、異なる２つの波長を適宜分岐して説明したが、例えば図６または図７に示すように、偏光方向で適宜分岐させる構成としてもよい。すなわち、半導体レーザ２０１からは、１つの波長のレーザ光が出射され、このレーザ光の偏光方向によりレーザ光の光路を分岐させる構成としてもよい。
【００６１】
図６および図７において、ホルダには、コリメータレンズ２０２に隣接して、径や広がり角が調整されたレーザ光が透過する偏光板２０３が配設されている。この偏光板２０３は、透過するレーザ光の波長を調整するために設けられる。具体的には、半導体レーザ２０１から出射されたレーザ光は、螺旋状に進むいわゆる円偏光の波形となっている。偏光板２０３は、このような円偏光のレーザ光を所定の方向に振動する直線偏光の波形に偏光する。
【００６２】
さらに、ホルダには、この偏光板２０３に近接して、偏光方向変換部材としての液晶パネル２０４が配設されている。この液晶パネル２０４は、偏光板２０３を透過したレーザ光を所定の偏光方向に選択的に変換して透過させる。この液晶パネル２０４には図示しない配線が接続されて、この配線は制御回路部１２０と電気的に接続されている。制御回路部１２０は、液晶パネル２０４に印加する電圧を制御して、液晶パネル２０４を透過するレーザ光の偏光方向の選択を可能にする。
【００６３】
そして、ホルダには、所定の偏光方向に変換されたレーザ光が入射する偏光ビームスプリッタ２１０が配設されている。この偏光ビームスプリッタ２１０は、レーザ光を面２１１から入射させる。そして、所定の偏光方向のレーザ光を一側面２１２から出射させ、面２１２から出射させたレーザ光と偏光方向が例えば約９０度異なるレーザ光を面２１３から出射させる。このような構成では、液晶パネル２０４に印加する電圧を適宜切り替えることで、光ディスク１０Ａおよび光ディスク１０Ｂに略同時にレーザ光を集光させ、同時に処理できる。このように、同一の波長で偏光方向により分岐させるので、同一種類の光ディスク１０Ａ，１０Ｂでも処理できる。
【００６４】
なお、図６および図７には、偏光ビームスプリッタ２１０は、面２１２とその反対側の面２１３とにレーザ光の光路を分岐させたが、これに限らない。例えば、レーザ光の光路を面２１２と、この面２１２に直交する面とから出射させるようにレーザ光の光路を分岐させる構成としてもよい。すなわち、偏光ビームスプリッタ２１０に対してレーザ光が進行方向に対して直交するとともに互いに９０°異なる方向に反射させる構成とする。この場合、ディスク装置１００に格納される２枚の光ディスク１０Ａ，１０Ｂは、記録面の面方向が略直交する角度で配置されることとなる。また、どちらか一方のレーザ光の光路にミラーを導入してさらに９０°反射させる構成とすることで、２枚の光ディスク１０Ａ，１０Ｂを略平行に配置することができる。
【００６５】
さらに、本実施の形態および図６、図７に示した一変形例では、変更ビームスプリッタ２１０は、面２１１から入射したレーザ光を、偏光方向に違いにより互いに対向する面２１２および面２１３とから出射させる構成を示したが、これに限らない。例えば、図８、図９に示すような偏光ビームスプリッタ２６０を用いた構成としてもよい。
【００６６】
図８および図９において、偏光ビームスプリッタ２６０は、面２６１から入射したレーザ光のうち所定の偏光方向のレーザ光を反射させて面２６２から出射させる。一方、偏光ビームスプリッタ２６０は、その他の偏光方向のレーザ光をそのまま透過させて、面２６３から出射させる。偏光ビームスプリッタ２６０に反射されて面２６２から出射したレーザ光は、対物レンズ２０５Ｂを通過して光ディスク１０Ｂに集光される。一方、偏光ビームスプリッタを透過して面２６３から出射したレーザ光はミラー２７０に反射されて対物レンズ２０５Ａを通過し光ディスク１０Ａに集光される。
【００６７】
なお、偏光ビームスプリッタ２６０の面２６２から光ディスク１０Ｂまでの光路長Ｌ１は、偏光ビームスプリッタ２６０の面２６３からミラー２７０までの光路長Ｌ２とミラー２７０から光ディスク１０Ａまでの光路長Ｌ３とを加算した光路長に略等しいことが好ましい。
【００６８】
このような構成では、入射されるレーザ光のうち、所定の偏光方向のレーザ光のみを反射させて、残りのレーザ光をそのまま透過させればよいので、偏光ビームスプリッタ２６０の構成が簡単になる。したがって、このような偏光ビームスプリッタ２６０は、安価に生産することができ、生産コストを削減することができる。
【００６９】
また、第１の実施の形態において、光ピックアップ２００は、１つの偏光ビームスプリッタ２１０で、波長の異なるレーザ光の光路方向をそれぞれ光ディスク１０Ａおよび光ディスク１０Ｂの方向に変更していたが、これに限らない。例えば、図１０および図１１に示すように、複数の偏光ビームスプリッタが配設された構成でもよい。
【００７０】
すなわち、図１０および図１１において、光ピックアップ２００Ａは、半導体レーザ２０１と、コリメータレンズ２０２と、偏光板２０３と、液晶パネル２０４と、第１偏光ビームスプリッタ２２０Ａと、第２偏光ビームスプリッタ２２３０Ｂと、ミラー２３０Ａ，２３０Ｂと、対物レンズ２０５Ａ，２０５Ｂと、シリンダレンズ２０７Ａ，２０７Ｂと、受光素子２０８Ａ，２０８Ｂと、などを備えている。半導体レーザ２０１から出射されたレーザ光は、コリメータレンズ２０２を透過して略平行の光束に変換され、偏光板２０３で円偏光から直線偏光に偏光される。そして、液晶パネル２０４は、このレーザ光を所定の偏光方向のレーザ光に変換する。そして、偏光方向を変換されたレーザ光は、第１プリズム２２０Ａの面２２１Ａに入射する。そして、第１偏光ビームスプリッタ２２０Ａは、レーザ光の偏光方向に応じて面２２２Ａおよび面２２３Ａからレーザ光を出射させる。例えば、レーザ光の偏光方向が、いわゆるＰ波となっているときは、第１偏光ビームスプリッタ２２０Ａに入射したレーザ光は、そのまま透過して面２２２Ａから出射される。一方、例えばＰ波と９０度偏光方向が異なるＳ波のレーザ光が第１偏光ビームスプリッタ２２０Ａに入射した場合、レーザ光は、反射されて面２２３Ａから出射される。
【００７１】
そして、第１偏光ビームスプリッタ２２０Ａの面２２２Ａから出射したレーザ光は、１／４波長板２０６Ａを通過して、ミラー２３０Ａに反射されて対物レンズ２０５Ａに向かって出射される。また、光ディスク１０Ａにて反射されたレーザ光は、第１偏光ビームスプリッタ２２０Ａに反射されて面２２４Ａから出射される。そして、レーザ光は、面２２４Ａと対向して配設されるシリンダレンズ２０７Ａおよび受光素子２０８Ａに入射する。
【００７２】
また、第１偏光ビームスプリッタ２２０Ａの面２２３Ａから出射したレーザ光は、第２偏光ビームスプリッタ２２０Ｂの面２２１Ｂに入射する。そして、面２２１Ｂから入射したレーザ光は、第２偏光ビームスプリッタ２２０Ｂにて反射されて面２２２Ｂから出射される。面２２２Ｂが出射されたレーザ光は、１／４波長板２０６Ｂを通過してミラー２３０Ｂにて反射されて対物レンズ２０５Ｂから光ディスク１０Ｂに集光される。そして、光ディスク１０Ｂにて反射されたレーザ光は、第２偏光ビームスプリッタ２２０Ｂをそのまま透過して、図示しないコリメータレンズやシリンダレンズ２０７Ｂを介して受光素子２０８Ｂに受光される。
【００７３】
このような構成では、第１偏光ビームスプリッタ２２０Ａは、１波長のレーザ光を偏光方向によって光路方向を変更させているので、光ディスク１０Ａと光ディスク１０Ｂとに同じ種類の記録媒体を用いることができる。また、半導体レーザから２波長のレーザ光を同時に照射することで、光ディスク１０Ａと光ディスク１０Ｂとが異なった種類の記録媒体であっても対応できる。また、ミラー２３０Ａと対物レンズ２０５Ａとをホルダから切り離して、光ディスク１０Ａの記録面１０Ａａに沿って径方向に移動可能に取り付けてもよい。同様にミラー２３０Ｂと対物レンズ２０５Ｂとをホルダから切り離して、光ディスク１０Ｂの記録面１０Ｂａに沿って径方向に移動可能に取り付けてもよい。このようにすれば、対物レンズ２０５Ａ，２０５Ｂをそれぞれ個別に移動可能となるので、光ディスク１０Ａ，１０Ｂを同時に読み込み処理あるいは書き込み処理することができる。光ディスク１０Ａおよび光ディスク１０Ｂにて反射されたレーザ光をそれぞれ個別に受光する受光素子２０８Ａ，２０８Ｂが設けられている。このため、第２の実施の形態のディスク装置１００Ａと同様に、複雑な構成や解析プログラムなどを不要にでき、構成を簡略化できる。
【００７４】
さらには、図１２および図１３に示すように、１／４波長板２０６Ｂを取り外して、第１偏光ビームスプリッタ２２０Ａと第２偏光ビームスプリッタ２２０Ｂとの間に１／４波長板２０６Ｃを設けた構成としてもよい。この構成では、光ディスク１０Ｂにて反射されたレーザ光は、第２偏光ビームスプリッタ２２０Ｂで再び反射されて１／４波長板２０６Ｃを通過して第１偏光ビームスプリッタ２２０Ａの面２２３Ａに入射する。そして、第１偏光ビームスプリッタ２２０Ａをそのまま透過して面２２４Ａから出射される。ここで、第１偏光ビームスプリッタ２２０Ａの面２２４Ａに対向して波長板２０９を設け、光ディスク１０Ｂにて反射されたレーザ光の偏光方向を約９０度回転させる。そして、この波長板２０９近傍に第３偏光ビームスプリッタ２５０を設ける。第３偏光ビームスプリッタ２５０では、レーザ光が入射する面２５１側に反射面を有し、光ディスク１０Ｂにて反射されたレーザ光を反射させて面２５３から出射させる。そして、面２５３と対向してシリンダレンズ２０７Ｂおよび受光素子２０８Ｂが設けられ、光ディスク１０Ｂから出射されたレーザ光を受光する。
【００７５】
一方、光ディスク１０Ａにて反射されたレーザ光は、第１偏光ビームスプリッタ２２０Ａにて反射され、波長板２０９にて偏光方向を変換される。そして、第３偏光ビームスプリッタ２５０の面２５３に入射して、第３偏光ビームスプリッタの面２５３の反対側面２５４近傍に設けられるミラーによって反射され、面２５２から出射される。第３偏光ビームスプリッタ２５０の面２５２近傍には、シリンダレンズ２０７Ａおよび受光素子２０８Ａが設けられていて、面２５２から出射されたレーザ光を受光する。なお、光ディスク１０Ａにて反射されたレーザ光は、第３偏光ビームスプリッタ２５０をそのまま透過して面２５４から出射され、面２５４に対向してシリンダレンズ２０７Ａおよび受光素子２０８Ａが設けられる構成としてもよい。
【００７６】
このような構成では、受光素子２０８Ａ，２０８Ｂを第３偏光ビームスプリッタ２５０の周辺に集めて配置できるので、この受光素子２０８Ａ，２０８Ｂに接続される配線などを整理でき、スペースの有効活用ができる。したがって、光ピックアップを効率よく小型化できる
【００７７】
さらに、図１４に示すように、偏光板２０３および液晶パネル２０４をなくした構成としてもよい。この場合、レーザ光は、偏光方向に応じて、第１偏光ビームスプリッタ２２０Ａにて光路方向が変更され、光ディスク１０Ａ，１０Ｂに同時にレーザ光を照射することができる。したがって、交互に光ディスク１０Ａ，１０Ｂにレーザ光を照射されるよりも効率よく光ディスク１０Ａ、１０Ｂの読み込み処理および書き込み処理を実施できる。
【００７８】
なお、図１０ないし図１４では、光ディスク１０Ａ，１０Ｂから反射された光を受光する受光素子２０８Ａ，２０８Ｂを設けた構成を示したが、これに限らず、本実施の形態に示した半導体レーザ２０１近傍にホログラムを配設する構成としてもよい。また、半導体レーザとホログラムとを一体化した構成としてもよい。このような場合、受光素子２０８Ａ，２０８Ｂおよびシリンダレンズ２０７Ａ，２０７Ｂなどを不要にできるため、部品点数の削減を図れ、構成を簡略化できる。
【００７９】
また、第２の実施の形態において、図１５に示すように、レーザ光の光路上に光ファイバ３５０を設ける構成としてもよい。図１５には、第２の実施の形態に光ファイバ３５０を設けた構成を示したが、第１の実施の形態の構成に光ファイバを設けてもよい。また、光ファイバ３５０を設ける位置も、各光学部材の間のどの位置に設けてもよい。このように、光ファイバ３５０を設けることにより、光路を自由に屈曲させることが可能となる。したがって、通常光路上となる位置に他の部材を配置することができるので、光ピックアップをより小型化することができる。さらには、図８および図９に示す実施の形態や、図１０および図１１に示す実施の形態において、第２の実施の形態のピックアップ部３００Ａ，３００Ｂのように分割してそれぞれ移動可能に構成することも可能である。そして、光ファイバ３５０で光路を構成させることで、光路を外部から隔離でき、安定した情報処理ができる。
【００８０】
その他、本発明の実施の際の具体的な構造および手順は、本発明の目的を達成できる範囲で他の構造などに適宜変更できる。
【図面の簡単な説明】
【００８１】
【図１】本発明における第１の実施の形態に係るディスク装置を模式的に示す断面図である。
【図２】前記第１の実施の形態における光ピックアップから出射された光の光路を模式的に示す平面図である。
【図３】前記第１の実施の形態における光ピックアップから出射された光の光路を模式的に示す別の平面図である。
【図４】本発明における第２の実施の形態に係るディスク装置を模式的に示す断面図である。
【図５】前記第２の実施の形態における光ピックアップから出射された光の光路を模式的に示す平面図である。
【図６】本発明における他の実施の形態に係る光の光路を模式的に示す平面図である。
【図７】前記実施の形態における光の光路を模式的に示す別の平面図である。
【図８】本発明におけるさらに他の実施の形態に係る光の光路を模式的に示す平面図である。
【図９】前記実施の形態における光の光路を示す別の平面図である。
【図１０】本発明におけるさらに他の実施の形態に係る光の光路を示す平面図である。
【図１１】前記実施の形態における光の光路を示す別の平面図である。
【図１２】本発明におけるさらに他の実施の形態に係る光の光路を示すさらに別の平面図である。
【図１３】前記実施の形態における光の光路を示すさらに別の平面図である。
【図１４】本発明におけるさらに他の実施の形態に係る光の光路を示すさらに別の平面図である。
【図１５】前記実施の形態における光の光路を示すさらに別の平面図である。
【符号の説明】
【００８２】
１０Ａ，１０Ｂ…光学式記録媒体としてのディスク状記録媒体である光ディスク
１００…情報処理装置としてのディスク装置
２００，３００…光ピックアップ
２０１，３０１…光源としての半導体レーザ
２１０，２２０Ａ，２２０Ｂ，２５０，３１０，３３０Ａ，３３０Ｂ…光学部材としての偏光ビームスプリッタ
２０３…偏光部材としての偏光板
２０４…偏光方向変換部材としての液晶パネル
２０５Ａ，２０５Ｂ…集光部材としての対物レンズ
２０８Ａ，２０８Ｂ，３０７Ａ，３０７Ｂ…受光手段としての受光素子
【図１】
2005276312.tif 000003
【図２】
2005276312.tif 000004
【図３】
2005276312.tif 000005
【図４】
2005276312.tif 000006
【図５】
2005276312.tif 000007
【図６】
2005276312.tif 000008
【図７】
2005276312.tif 000009
【図８】
2005276312.tif 000010
【図９】
2005276312.tif 000011
【図１０】
2005276312.tif 000012
【図１１】
2005276312.tif 000013
【図１２】
2005276312.tif 000014
【図１３】
2005276312.tif 000015
【図１４】
2005276312.tif 000016
【図１５】
2005276312.tif 000017